(57)【特許請求の範囲】
【請求項１】
任意の基地局と無線接続が可能で且つ位置登録された該基地局を介してメールホストに保管されたメールを受信するメール受信装置において、
上記基地局から送信され受信された識別符号に基づいて装置本体の位置を検出するとともに、内蔵二次電池の充電検出に基づいて装置本体の充電の有無を検出する状態検出手段と、
メールホストに保管されたメールを自動的に受信させる第１の受信方法またはメールホストに保管されたメールを手動で受信させる第２の受信方法のいずれかの受信方法を指定する指定手段と、
特定の基地局に位置登録されている状態において、上記指定手段によりメール受信方法が指定されたとき、上記状態検出手段による充電の有無の検出結果に基づき、上記特定の基地局の識別符号と指定されたメール受信方法と充電の有無の検出結果とを対応させて記憶手段に記憶させる受信方法選択登録手段と、
任意の基地局に位置登録されている状態において、上記記憶手段に記憶されている特定の基地局の識別符号と位置登録されている任意の基地局の識別符号とを照合し、両識別符号が一致する場合には、当該識別符号に対応付けて上記記憶手段に記憶されているメール受信方法によってメールホストに保管されたメールを受信させる制御手段とを備えたことを特徴とするメール受信装置。
【発明の詳細な説明】
【０００１】
【発明の属する技術分野】
本発明は、ＰＨＳ端末や携帯電話機等のメール受信装置に関する。
【０００２】
【従来の技術】
従来より、ＰＨＳ端末や携帯電話機等のメール受信装置においては、使用者が所定の操作を行ってメールホストと接続し、メールの送信を行ったり、メールホストに保管されている本人宛のメールを読み出して閲覧することができるため、例えば、オフィスに居るときには有線電話回線に接続されたパーソナルコンピュータ等のメール送受信装置によってメールの送受信を行い、外出時や帰宅後にはＰＨＳ端末や携帯電話機等のメール受信装置を用いて無線電話回線にてメールの送受信を行うことができ、基地局がカバーするエリア内であれば使用者がどこに居てもメールの送受信が可能であり、近年特に業務用途において急速に普及している。
【０００３】
そして、このようなメール受信装置においては、使用者が手動により所定の操作を行ってメールの受信を行う煩雑さを軽減するために、特開平８−２４２４９１号公報に示されるように、予め設定しておいた時間間隔毎や予め設定しておいた時間に自動的にメールホストに対して発呼を行い、メールホストに保管されている本人宛のメールがあれば読み出しを行う自動受信技術が提案されていた。
【０００４】
ところが、オフィス内に居るときにおいて、当該メールの送受信を、有線電話回線に接続された机上のパーソナルコンピュータによって行うことが可能な場合には、有線電話回線と無線電話回線が公衆網である場合において、一般的に有線電話回線よりも無線電話回線の通信料金の方が高額なため、会議中等のように机上のパーソナルコンピュータによってメールの送受信が不可能なとき以外は、机上のパーソナルコンピュータによってメールの送受信を行う方が経済的であり、又無線電話回線が公衆網でない場合であっても無用なトラフィックが増加することから、上述した自動受信技術を用いる場合には、自動受信と手動受信とを切り替えるためのスイッチを設け、必要に応じて手動により切り替える必要があった。
【０００５】
【発明が解決しようとする課題】
ところが、上記従来装置のように、自動受信と手動受信とをスイッチによって手動で切り替えるものでは、使用者において煩雑な操作を要するといった問題点や、使用者が外出時や退社時に自動受信に切り替え忘れたり、逆に帰社時や出社時に手動受信に切り替え忘れたりするといった問題点があった。
【０００６】
本発明は、使用者における繁雑な操作を要することなく、自動受信と手動受信とを自動的に最適な状態に切り替えることができるメール受信装置を提供することを目的とするものである。
【０００７】
【課題を解決するための手段】
上記目的を達成するために、任意の基地局と無線接続が可能で且つ位置登録された該基地局を介してメールホストに保管されたメールを受信するメール受信装置において、上記基地局から送信され受信された識別符号に基づいて装置本体の位置を検出するとともに、内蔵二次電池の充電検出に基づいて装置本体の充電の有無を検出する状態検出手段と、メールホストに保管されたメールを自動的に受信させる第１の受信方法またはメールホストに保管されたメールを手動で受信させる第２の受信方法のいずれかの受信方法を指定する指定手段と、特定の基地局に位置登録されている状態において、上記指定手段によりメール受信方法が指定されたとき、上記状態検出手段による充電の有無の検出結果に基づき、上記特定の基地局の識別符号と指定されたメール受信方法と充電の有無の検出結果とを対応させて記憶手段に記憶させる受信方法選択登録手段と、任意の基地局に位置登録されている状態において、上記記憶手段に記憶されている特定の基地局の識別符号と位置登録されている任意の基地局の識別符号とを照合し、両識別符号が一致する場合には、当該識別符号に対応付けて上記記憶手段に記憶されているメール受信方法によってメールホストに保管されたメールを受信させる制御手段とを備えたものである。
【００１２】
従って、請求項１記載の発明によれば、受信方法選択登録手段は、特定の基地局に位置登録されている状態において、指定手段によりメール受信方法が指定されたとき、状態検出手段による充電の有無の検出結果に基づき、特定の基地局の識別符号と指定されたメール受信方法と充電の有無の検出結果とを対応させて記憶手段に記憶させる。制御手段は、任意の基地局に位置登録されている状態において、記憶手段に記憶されている特定の基地局の識別符号と位置登録されている任意の基地局の識別符号とを照合し、両識別符号が一致する場合には、当該識別符号に対応付けて上記記憶手段に記憶されているメール受信方法によってメールホストに保管されたメールを受信させることにより、メール受信方法を自動的に最適な状態に切り替えることができる。
【００１７】
【発明の実施の形態】
以下、本発明の実施の形態について図面を参照して詳細に説明する。
【００１８】
図１は本発明のメール受信装置の１つの機能を実現するためのＰＨＳ端末の構成を示す機能ブロック図、図２は同ＰＨＳ端末を用いた無線通信システムの概要を示す説明図、図３は同ＰＨＳ端末における受信方法選択登録時の動作制御を示すフローチャート、図４は同ＰＨＳ端末における受信方法選択時の動作制御を示すフローチャート、図５は同ＰＨＳ端末における記憶データのデータ構造を示す説明図であって、（ａ）は一つの基地局の識別番号と受信方法との関係を、（ｂ）は複数の基地局の識別番号と受信方法との関係をそれぞれ示すものである。
【００１９】
図６は本発明のメール受信装置の一実施の形態であるＰＨＳ端末の構成を示す機能ブロック図、図７は同ＰＨＳ端末における受信方法選択登録時の動作制御を示すフローチャート、図８は同ＰＨＳ端末における受信方法選択時の動作制御を示すフローチャート、図９は同ＰＨＳ端末における記憶データのデータ構造を示す説明図であって、基地局の識別番号及び充電状態と受信方法との関係を示すものである。
【００２０】
以下、本発明のメール受信装置の１つの機能を実現するＰＨＳ端末を図１乃至図５に基づいて説明する。
【００２１】
図１において、１はアンテナ、２はアンテナ１を介して図示しない無線基地局との間で信号の送受信を行うＲＦ部、３は無線基地局との間で送受信される信号の変復調を行うモデム部、４はフレームの分解／組立等のＴＤＭＡ処理や誤り訂正処理やスクランブル処理や音声データの秘話処理等を行うチャネルコーデック部、５はチャネルコーデック部４にて処理される音声データの圧縮符号化処理や伸長復号化処理等を行うＡＤＰＣＭ部、６はＡＤＰＣＭ部５にて処理された音声データを外部に放音するスピーカ、７はＡＤＰＣＭ部５にて処理される音声データを外部より集音するマイクである。
【００２２】
８は各種データを記憶する記憶部、９は電話番号や送信メール文の入力等を行う入力部、１０はメール内容や各種状態を表示するＬＣＤ等の表示部、１１は外部からの電源供給を受ける充電端子、１２は充電端子１１を通じた電源供給によって充電を行うと共に各部への電力供給を行う二次電池、１３はモデム３によって復調されたデータや記憶部８に記憶された各種データ及び入力部９からのデータに基づいてＲＦ部２における送受信制御やモデム部３における変復調制御やチャネルコーデック部４における各種処理制御やＡＤＰＣＭ５における圧縮伸長制御や記憶部８におけるデータ書込／読出制御及び表示部１０における表示制御等を行う制御部である。
【００２３】
そして、これらアンテナ１とＲＦ部２とモデム部３とチャネルコーデック部４とＡＤＰＣＭ部５とスピーカ６とマイク７と記憶部８と入力部９と表示部１０と充電端子１１と二次電池１２と制御部１３とによってＰＨＳ端末Ａが構成されており、このＰＨＳ端末Ａは、図２に示すように、無線基地局Ｂ，Ｃ，Ｄがカバーするエリアにおいて位置登録要求が送信され、それに対して無線基地局Ｂ，Ｃ，Ｄから位置登録受付が送信されるようになっており、この状態において無線基地局Ｂ，Ｃ，Ｄを介して交換機Ｅに接続し、図示しないメールホストと接続できるようになっている。
【００２４】
尚、図２において、無線基地局Ｂ，Ｃ，Ｄは、それぞれ「８０８Ａ４Ｅ８６０５１」「８０８Ａ４Ｅ８６０５３」「８０８Ａ４Ｅ８６０５５」の識別符号（ＣＳＩＤ）が設定されているものとする。
【００２５】
上記のように構成されたＰＨＳ端末について、まず、受信方法選択登録時及びメール受信方法選択時の動作を図３及び図４に示すフローチャート並びに図５に示す説明図に基づいて説明する。
【００２６】
ＰＨＳ端末Ａの位置登録が行われている待機状態において、使用者が入力部９を操作してメール受信方法を指定する（ステップＳ１）と、制御部１３は記憶部８を制御し、その指定されたメール受信方法と位置登録されている無線基地局の識別符号とを対応させて記憶する（ステップＳ２）。
【００２７】
一方、記憶部８にメール受信方法と識別符号とが記憶されている状態において、制御部１３は無線基地局への位置登録が行われる度に（ステップＳ３）、位置登録された無線基地局の識別符号と記憶部８に記憶されている識別符号とを比較し（ステップＳ４）、一致していると判断された場合には、その識別符号に対応して記憶されているメール受信方法となるように設定し（ステップＳ５）、又一致していないと判断された場合には、別途指定されている通常時におけるメール受信方法となるように設定する（ステップＳ６）。
【００２８】
即ち、例えば、図２に示すように、ＰＨＳ端末Ａが無線基地局Ｃがカバーするエリアに位置して位置登録されている待機状態において、使用者が入力部９を操作してメール受信方法として「手動発呼によるメール受信」を指定すると、制御部１３は記憶部８を制御し、図５（ａ）に示すように、無線基地局Ｃの識別符号である「８０８Ａ４Ｅ８６０５３」と手動発呼によるメール受信を示す「１」とを対応させて記憶する。
【００２９】
そして、図５（ａ）に示すように、通常時を示す「０００００００００００」と自動発呼によるメール受信を示す「２」とが、又無線基地局Ｃの識別符号である「８０８Ａ４Ｅ８６０５３」と手動発呼によるメール受信を示す「１」とが対応して記憶されている状態において、ＰＨＳ端末Ａが無線基地局Ｂがカバーするエリアに移動して位置登録が行われると、無線基地局Ｂの識別符号である「８０８Ａ４Ｅ８６０５１」と記憶部８に記憶されている識別符号「８０８Ａ４Ｅ８６０５３」とが一致しないことから、制御部１３は「自動発呼によるメール受信」となるように設定して自動発呼によるメール受信を実行し、又この状態において、ＰＨＳ端末Ａが無線基地局Ｃがカバーするエリアに移動して位置登録が行われると、無線基地局Ｂの識別符号である「８０８Ａ４Ｅ８６０５３」と記憶部８に記憶されている識別符号「８０８Ａ４Ｅ８６０５３」とが一致することから、制御部１３は「手動発呼によるメール受信」となるように設定し、入力部９によって所定の操作が行われたとき、メール受信を実行する。
【００３０】
従って、上記動作制御によれば、例えば、無線基地局Ｃが事業所内のエリアをカバーしており、事業所内のパーソナルコンピュータによってメール受信が可能なため、ＰＨＳ端末Ａでのメール受信が必要ない場合において、通常時における受信方法を自動発呼によるメール受信とすると共に、事業所内にて手動発呼によるメール受信を１回だけ指定することにより、以後、事業所内においては手動発呼によるメール受信が、又事業所外においては自動発呼によるメールがそれぞれ行われるため、使用者における繁雑な操作を要することなく、過大な通信料金の抑制や無線電話回線における無用なトラフィックの削減を図ることができる。
【００３１】
尚、上記受信方法選択登録動作を繰り返すことにより、図５（ｂ）に示すように、無線基地局とメール受信方法との対応関係を複数記憶するようにしても良く、このようにすることにより、事業所内と外出時と自宅内とで別々の設定をすることができ、より使い勝手を向上することができる。
【００３２】
又、上記構成では、メール受信方法として「手動発呼によるメール受信」又は「自動発呼によるメール受信」の何れかを指定し、識別符号と対応させて記憶するようにしたが、これに限定するものではなく、「自動発呼によるメール受信」を更に細分化し「所定時間経過毎に自動発呼してメール受信」や「所定の時刻となったときに自動発呼してメール受信」等を指定できるようにしても良く、且つその所定時間や所定時刻を識別符号毎に個別に設定できるようにしても良い。
【００３３】
次に、本発明のメール受信装置の一実施の形態であるＰＨＳ端末を図６乃至図９に基づいて説明する。尚、図６において図１と共通する部分には共通の符号を付し、その説明については省略する。
【００３４】
２１は充電端子１１から二次電池１２に供給される充電電圧を検出し、二次電池１２の充電状態を検出する充電状態検出部であり、この充電状態検出部２１からの検出信号が制御部１３に供給されるようになっている。
【００３５】
そして、この充電状態検出部２１とアンテナ１とＲＦ部２とモデム部３とチャネルコーデック部４とＡＤＰＣＭ部５とスピーカ６とマイク７と記憶部８と入力部９と表示部１０と充電端子１１と二次電池１２と制御部１３とによってＰＨＳ端末Ａ’が構成されている。
【００３６】
このように構成されたＰＨＳ端末について、受信方法選択登録時及び受信方法選択時の動作を図７及び図８に示すフローチャート並びに図９に示す説明図に基づいて説明する。
【００３７】
ＰＨＳ端末Ａ’の位置登録が行われている待機状態において、使用者が入力部９を操作してメール受信方法を指定する（ステップＳ１１）と、制御部１３は充電状態検出部２１からの検出結果に基づいて二次電池１２の充電が行われているかを検出し（ステップＳ１２）、その検出結果に基づいて記憶部８を制御し、指定されたメール受信方法と位置登録されている無線基地局の識別符号と充電状態とを対応させて記憶する（ステップＳ１３）。
【００３８】
一方、記憶部８にメール受信方法と識別符号とが記憶されている状態において、制御部１３は無線基地局への位置登録が行われる度、及び二次電池１２の充電状態が変化する度に（ステップＳ１４，Ｓ１５）、位置登録された無線基地局の識別符号と記憶部８に記憶されている識別符号とを比較し（ステップＳ１６）、一致していると判断された場合には、その識別符号に対応し且つ充電状態に対応するメール受信方法となるように設定し（ステップＳ１７）、又一致していないと判断された場合には、別途指定されている通常時におけるメール受信方法となるように設定する（ステップＳ１８）。
【００３９】
即ち、例えば、図２に示すように、ＰＨＳ端末Ａ’が無線基地局Ｃに位置登録され且つ充電器に載置される状態、ＰＨＳ端末Ａ’が無線基地局Ｃに位置登録され且つ充電器に載置されていない状態、ＰＨＳ端末Ａ’が無線基地局Ｂに位置登録され且つ充電器に載置されている状態、及びＰＨＳ端末Ａ’が無線基地局Ｄに位置登録され且つ充電器に載置されている状態の四つの状態において、使用者が入力部９を操作してメール受信方法として「手動発呼によるメール受信」を指定すると、制御部１３は記憶部８を制御し、図９に示すように、無線基地局Ｃの識別符号である「８０８Ａ４Ｅ８６０５３」と手動発呼によるメール受信を示す「１」とを「非充電中」と「充電中」の双方に対応させて記憶し、又無線基地局Ｂの識別符号である「８０８Ａ４Ｅ８６０５１」と手動発呼によるメール受信を示す「１」とを「充電中」に対応させて記憶し、更に無線基地局Ｄの識別符号である「８０８Ａ４Ｅ８６０５５」と手動発呼によるメール受信を示す「１」とを「充電中」に対応させて記憶する。
【００４０】
そして、図９に示すように、通常時を示す「０００００００００００」と自動発呼によるメール受信を示す「０」とを「非充電中」と「充電中」の双方に対応させて記憶している状態において、ＰＨＳ端末Ａ’が無線基地局Ｂ，Ｄがカバーするエリアに移動して位置登録が行われると、無線基地局Ｂ，Ｄの識別符号である「８０８Ａ４Ｅ８６０５１」及び「８０８Ａ４Ｅ８６０５５」と記憶部８に記憶されている識別符号「８０８Ａ４Ｅ８６０５１」及び「８０８Ａ４Ｅ８６０５５」とが一致することから、制御部１３は識別符号「８０８Ａ４Ｅ８６０５１」及び「８０８Ａ４Ｅ８６０５５」の「非充電中」に対応する「自動発呼によるメール受信」となるように設定して自動発呼によるメール受信を実行し、又この状態において、ＰＨＳ端末Ａ’が充電器に載置されると、制御部１３は識別符号「８０８Ａ４Ｅ８６０５１」及び「８０８Ａ４Ｅ８６０５５」の「充電中」に対応する「手動発呼によるメール受信」となるように設定し、入力部９によって所定の操作が行われたとき、メール受信を実行する。一方、ＰＨＳ端末Ａが無線基地局Ｃがカバーするエリアに移動して位置登録が行われた場合には、無線基地局Ｃの識別符号である「８０８Ａ４Ｅ８６０５３」と記憶部８に記憶されている識別符号「８０８Ａ４Ｅ８６０５３」とが一致し、且つそれに対応する受信方法が充電状態に関係なく「手動発呼によるメール受信」であることから、制御部１３は「手動発呼によるメール受信」となるように設定し、入力部９によって所定の操作が行われたとき、メール受信を実行する。
【００４１】
従って、上記動作制御によれば、例えば、無線基地局Ｂ，Ｄが事業所内における机上と会議室のエリアをカバーしており、事業所内のパーソナルコンピュータによってメール受信が可能であるものの、会議室においてパーソナルコンピュータによってメール受信が不可能である場合において、通常時における受信方法を自動発呼によるメール受信とすると共に、机上の充電器に載置した状態で手動発呼によるメール受信を１回だけ指定することにより、以後、机上の充電器に載置した状態においては手動発呼によるメール受信が、又事業所内であっても机上の充電器に載置されていない状態においては自動発呼によるメールがそれぞれ行われるため、使用者における繁雑な操作を要することなく、過大な通信料金の抑制や無線電話回線における無用なトラフィックの削減を図ることができる。
【００４２】
尚、上記実施の形態では、制御部１３に予め記憶されたプログラムに基づいて上述の動作制御を実行するようにしたが、これに限定するものではなく、メール機能を用いてメールホストから当該動作制御を実行するためのプログラムを受信し、その受信したプログラムを制御部１３において実行するようにしても良い。
【００４３】
【発明の効果】
以上のように、本発明によれば、装置本体の状態に基づいてメール受信方法を選択し、その選択したメール受信方法によってメールホストに保管されたメールを受信させることにより、メール受信方法を自動的に最適な状態に切り替えることができるため、使用者における繁雑な操作を要することなく、過大な通信料金の抑制や無線電話回線における無用なトラフィックの削減を図ることができる。
【図面の簡単な説明】
【図１】  本発明のメール受信装置の１つの機能を実現するＰＨＳ端末の構成を示す機能ブロック図である。
【図２】同ＰＨＳ端末を用いた無線通信システムの概要を示す説明図である。
【図３】同ＰＨＳ端末における受信方法選択登録時の動作制御を示すフローチャートである。
【図４】同ＰＨＳ端末における受信方法選択時の動作制御を示すフローチャートである。
【図５】同ＰＨＳ端末における記憶データのデータ構造を示す説明図であって、（ａ）は一つの基地局の識別番号と受信方法との関係を、（ｂ）は複数の基地局の識別番号と受信方法との関係をそれぞれ示すものである。
【図６】  本発明のメール受信装置の一実施の形態であるＰＨＳ端末の構成を示す機能ブロック図である。
【図７】同ＰＨＳ端末における受信方法選択登録時の動作制御を示すフローチャートである。
【図８】同ＰＨＳ端末における受信方法選択時の動作制御を示すフローチャートである。
【図９】同ＰＨＳ端末における記憶データのデータ構造を示す説明図であって、基地局の識別番号及び充電状態と受信方法との関係を示すものである。
【符号の説明】
１    アンテナ
２    ＲＦ部
３    モデム部
４    チャネルコーデック部
５    ＡＤＰＣＭ部
６    スピーカ
７    マイク
８    記憶部
９    入力部
１０    表示部
１１    充電端子
１２    二次電池
１３    制御部
【図１】
0003693841.tif 000002
【図２】
0003693841.tif 000003
【図３】
0003693841.tif 000004
【図４】
0003693841.tif 000005
【図５】
0003693841.tif 000006
【図６】
0003693841.tif 000007
【図７】
0003693841.tif 000008
【図８】
0003693841.tif 000009
【図９】
0003693841.tif 000010